(57)【要約】      （修正有） 【課題】携帯電話の臨時電源の形状を乗物の立体的形状となすことを可能とし、遊び心や視覚的なインパクト等に基づく商品の外観から派生する収集欲等を刺激し、或いは他人の商品との相違点や外観自体の面白味等に基づく購買意欲の刺激等を行なうことができる臨時電源の装飾体の提供。特に、実用性だけにとどまらないデザイン性や嗜好性等を満足させられる携帯用の臨時電源の蓋体装飾体又は装飾体を有する外装体の提供。【解決手段】携帯電話の臨時電源の蓋体の装着部に着脱自在であり、少なくとも該蓋体で覆うべき箇所を覆うことができる装飾体であって、該装飾体が乗物の形状を用いた装飾を施した立体的形状からなる携帯電話の臨時電源の蓋体装飾体を提供する。【選択図】図１
0003138367.tif 000002
【実用新案登録請求の範囲】
【請求項１】
携帯電話の臨時電源の蓋体の装着部に着脱自在であり、少なくとも該蓋体で覆うべき箇所を覆うことができる装飾体であって、該装飾体が乗物の形状を用いた装飾を施した立体的形状からなることを特徴とする携帯電話の臨時電源の蓋体装飾体。
【請求項２】
該蓋体で覆うべき箇所が臨時電源の交換可能な乾電池類の電源の収納箇所であることを特徴とする請求項１記載の携帯電話の臨時電源の蓋体装飾体。
【請求項３】
蓋体装飾体が略筒状形状からなり、該筒状形状の空洞部２５内に少なくとも臨時電源の本体１の一部を着脱自在に装着できることを特徴とする請求項１又は２のいずれか記載の携帯電話の臨時電源の蓋体装飾体。
【請求項４】
少なくとも携帯電話の臨時電源の側面に及ぶスカート部２３を有することを特徴とする請求項１又は２のいずれか記載の携帯電話の臨時電源の蓋体装飾体。
【請求項５】
乗物の形状が電車又は汽車であることを特徴とする請求項１乃至４のいずれか記載の携帯電話の臨時電源の蓋体装飾体。
【請求項６】
乗物の形状が新幹線であることを特徴とする請求項５に記載の携帯電話の臨時電源の蓋体装飾体。
【請求項７】
乗物の形状が車であることを請求項１乃至４のいずれか記載の携帯電話の臨時電源の蓋体装飾体。
【請求項８】
乗物の形状が飛行機であることを特徴とする請求項１乃至４のいずれか記載の携帯電話の臨時電源の蓋体装飾体。
【請求項９】
乗物の形状が船であることを特徴とする請求項１乃至４のいずれか記載の携帯電話の臨時電源の蓋体装飾体。
【請求項１０】
乗物の形状を模して模型風に装飾化し又はキャラクター風に装飾化し又はモチーフ風に装飾化し又はデフォルメして装飾化したものであることを特徴とする請求項１乃至９のいずれか記載の携帯電話の臨時電源の蓋体装飾体。
【請求項１１】
請求項５乃至１０に明示の乗物の形状を用いた装飾を施した立体的形状からなる装飾体であって、
該装飾体は、少なくとも該蓋体で覆うべき箇所を覆うことができる装飾体に代えて携帯電話の臨時電源本体１の少なくとも一部を覆うことのできる外装体であることを特徴とする携帯電話の臨時電源の装飾体を有する外装体。
【請求項１２】
装飾体を有する外装体が略筒状形状からなり、該筒状形状の空洞部２５内に少なくとも臨時電源の本体１の一部を着脱自在に装着できることを特徴とする請求項１１記載の携帯電話の臨時電源の装飾体を有する外装体。
【考案の詳細な説明】
【技術分野】
【０００１】
本考案は、携帯電話の臨時電源の電池交換用蓋体又は臨時電源の外表面に着脱自在の外装体を各種の乗物を模して成形し、乗物の形状を有する携帯電話の臨時電源の蓋体装飾体或いは装飾体を有する外装体に関する。
【背景技術】
【０００２】
従来より、携帯電話に関しては、内蔵電源の容量がそれほど大きくないことから長時間の使用に対応するために携帯電話のコネクター部に連設可能な携帯用の臨時電源が多用されている。
この場合、この臨時電源に関して携帯性の要求から小型であることが望まれているものであり、更には把持しやすくするために手に握りやすい形状が望まれているものであって、係る点から薄くかつ小型で手にすっぽり入るような形状が用いられてきたものである。
【０００３】
したがって、係る点から鑑みると現在多用されている携帯電話用の臨時電源は何れも近似した形態においてそのなかで独自性を出すことによって差別化を図っているものである。
例えば、特開２００２‐２７６８０号（特許文献１）や実用新案登録第３０８７８２３号（特許文献２）等が存在する。
【特許文献１】特開２００２‐２７６８０号
【特許文献２】実用新案登録第３０８７８２３号
【考案の開示】
【考案が解決しようとする課題】
【０００４】
以上の様に、携帯電話用臨時電源は、そもそもその機能に着目してその外観が形成されるにいたっているものである。
これは機能面を最も重要視し、これが外観に現れた状態によって購買意欲を刺激し、販売するものである。
しかし、この様な機能面や機能が外観に現れた斬新性等に基づく購買意欲のみではなく、他の面を刺激し、更なる購買意欲を刺激する外観を呈する携帯電話用の臨時電源が存在することによって新たな需要が発生するものである。
【０００５】
したがって、遊び心や視覚的なインパクトなどに基づく商品の外観から派生する収集欲等を刺激し、あるいは他人の商品との相違点や外観自体の面白味などに基づく購買意欲の刺激等を行なうことができることとなる。
更に、実用性だけにとどまらず、デザイン性や嗜好性等を携帯用の臨時電源に表出することが可能となるものである。
係るために独特な形状を呈する臨時電源の提供が望まれるものである。
【課題を解決するための手段】
【０００６】
本考案は係る課題を見事に解決するものであり、係るため請求項１に係る考案は携帯電話の臨時電源の蓋体の装着部に着脱自在であり、少なくとも該蓋体で覆うべき箇所を覆うことができる装飾体であって、該装飾体が乗物の形状を用いた装飾を施した立体的形状からなる携帯電話の臨時電源の蓋体装飾体からなるものであって、係る構成によって前記課題を解決できる。
又、請求項２に係る考案は、該蓋体で覆うべき箇所が臨時電源の交換可能な乾電池類の電源の収納箇所である携帯電話の臨時電源の蓋体装飾体からなり係る考案でも同様である。
【０００７】
或いは、請求項３に係る考案のように蓋体装飾体が略筒状形状からなり、該筒状形状の空洞部内に少なくとも臨時電源の本体の一部を着脱自在に装着できる蓋体装飾体を用いてもよい。
或いは請求項４に係る考案のように、少なくとも携帯電話の臨時電源の側面に及ぶスカート部を有する蓋体装飾体を用いてもよい。
これらの場合、乗物の形状として請求項５に係る考案のように電車又は汽車であっても、請求項６に係る考案のように新幹線であってもよく、更には請求項７に係る考案のように車であっても、請求項８に係る考案のように飛行機であっても、請求項９に係る考案のように船であってもよい。
【０００８】
更に、これらは請求項１０に係る考案のように乗物の形状を模型風に装飾化し又はキャラクター風に装飾化し又はモチーフ風に装飾化し又はデフォルメして装飾化したものであってもよいものである。
これ等の携帯電話の臨時電源の蓋体装飾体に代えて請求項１１に係る考案のように該装飾体は、少なくとも該蓋体で覆うべき箇所を覆うことができる装飾体に代えた臨時電源本体の少なくとも一部を覆うことのできる外装体からなる携帯電話の臨時電源の装飾体を有する外装体を用いても同様に課題を解決できる。
更にはこの場合、請求項１２に係る考案のように装飾体を有する外装体が略筒状形状からなり、該筒状形状の空洞部内に少なくとも臨時電源の本体の一部を着脱自在に装着できる携帯電話の臨時電源の装飾体を有する外装体を用いてもよい。
【考案の効果】
【０００９】
以上のように構成することから、まず請求項１に係る考案によって、臨時電源の蓋体の設置箇所に立体的形状からなる装飾を施した乗物の形状を着脱自在に設置することでき、蓋体で覆うべきところを覆うと共に臨時電源の全体的な形状或いは一部形状に対して乗物の形状に模して表現できることとなる。
このことにより購買者に対して遊び心や視覚的なインパクト等を与えることができるものであって、商品の外観から派生する収集欲等を刺激し、あるいは他人の商品との相違点や外観自体の面白味などに基づく購買意欲の刺激等し、或いは嗜好性を満たすことができることとなる。
したがって、単に臨時電源の実用性だけにとどまらず、デザイン性や嗜好性等を携帯用の臨時電源に表出することが可能となるものである。
【００１０】
次に、請求項２に係る考案によれば、乾電池などを交換可能にするため開閉できる蓋体として用いることができ、乾電池を収納すること及び交換できることとあわせて立体的な形状の提供を可能とする。
更に請求項３に係る考案によれば、蓋体を嵌着して臨時電源本体などに着脱自在に装着するほか、略筒状形状からなる空洞部に挿入することによって電源の交換のための開閉箇所を簡単に封鎖できることとなる。
次に請求項４に係る考案によれば少なくとも携帯電話の臨時電源の側面に及ぶスカート部によって臨時電源の側面部分にまでも立体的形状からなる装飾を施した乗物の形状を表すことができるものであって、臨時電源の多くを覆った状態での乗物の形状を表出できる。
【００１１】
更に請求項５に係る考案によれば乗物として電車又は汽車を立体的に表すことができ、請求項６に係る考案によれば新幹線として立体的に表すことができ、更に請求項７に係る考案によれば車として、又請求項８に係る考案によれば飛行機として、請求項９に係る考案によれば船としてそれぞれ臨時電源に乗物の立体的形状として表示できるものである。
更には請求項１０に係る考案によれば、乗物の形状を模型風に装飾化し又はキャラクター風に装飾化し又はモチーフ風に装飾化し又はデフォルメして装飾化して装飾体を形作ることができ、各種の嗜好性に対応できると共に老若男女或いは各人の趣味性などに応じることができるものとなる。
【００１２】
更に、請求項１１に係る考案によれば蓋体としてではなく臨時電源自体の少なくとも一部を覆うことのできる外装体に前記した各種装飾体を施すことができるものであって、例えば電源の交換のできない使い捨てタイプ等の臨時電源においても使用することが可能となる。
もとより蓋体を有する臨時電源のタイプにおいてもしようすることができるものであって、各種の臨時電源に対応することのできる外装体の提供を可能とするものである。
また請求項１２に係る考案によれば装飾体を有する外装体が略筒状形状からなり、該筒状形状の空洞部内に少なくとも臨時電源の本体の一部を着脱自在に装着できるものであって、臨時電源の着脱を簡単に行なえると共に装飾体をよりリアルに或いは臨時電源の全周に亘って表現した乗物の立体形状の装飾体の付加を可能とするものである。
【考案を実施するための最良の形態】
【００１３】
図１は、本考案に係る携帯電話の臨時電源の蓋体装飾体又は装飾体を有する外装体の一例を示す図であり、携帯電話の臨時電源本体１には、その蓋体部分が電車の車両形状をもって構成されている蓋体装飾体２が装着されているものである。
従って、臨時電源本体１にこの蓋体２を装着することによって臨時電源に電車形状を施すことができ、電車の模して模型形状の携帯電話の臨時電源の提供が可能となる。
本構成の場合、この蓋体は電源部内の電源例えば乾電池等の交換を可能とするための蓋体を取り替えることによって任意の形状を臨時電源に施すことができるものである。
【００１４】
本図においては一例として新幹線の１００系型を模して模型形状を施したものである。
この様に構成することによって、簡単に臨時電源に装飾的な付加価値を与えることができ、遊び心や嗜好性に訴えることができ、各種の美的な価値を臨時電源に付与できるものである。
又、蓋体に設けることによって、簡単に取り替えることができるものである。
尚、蓋体としてではなく外装体として臨時電源に装着できるものであっても良い。
次に、本図のように臨時電源の蓋体を外した際の外装されている本体の端部部分１１には更にコネクター部１５を有しており、この部分において携帯電話と着脱自在に装着するものである。
【００１５】
図２は、図１に示す携帯電話用の臨時電源の蓋体として蓋体部分に電車の車両形状を模して構成されている蓋体装飾体２からなる一例の側面図である。
本図に示すように、蓋体装飾体２は臨時電源の蓋体として装着されて臨時電源の電源である乾電池装着部分を覆うものであると共に更には臨時電源の側面全体を覆うようにスカート部２３を有している。
本図のようにスカート部２３を有することによって、蓋体の装飾体を全体に大きく表することが可能となる。
したがって、本図のように装飾体として新幹線の１００系型をモチーフとして模した模型形状を施した場合に全体的に新幹線の模型として一見して極めて簡単に把握できるものであってよりリアルにかつ立体的にも表現できるものである。
【００１６】
図３は、臨時電源本体１から蓋体装飾体を取り外した該蓋体装飾体２の内部を示す図であり、内部構造の一例を示す図である。
蓋体装飾体２は臨時電源内に装着した乾電池をきっちりと定置させるための電池押さえ部２４を有し、これによって乾電池をきっちりと押えることができる。
更に蓋体装飾体２には臨時電源の外周側辺部分である開放辺部１２に嵌合或いは密接するための溝部或いは段部２２を有するものである。
これによって蓋体がきっちりと嵌め合わされることになるものである。
【００１７】
更に、本図構成においては該段部２２から延在してスカート部２３が設けられているものである。
尚、本図には明示がないが例えば蓋体をきっちりと本体に係止するための任意の係止部を有するものであってよい。
図４は、本蓋体装飾体を蓋として用いるべき臨時電源本体１の一例を示す図である。
本図のように乾電池１０を収納し、該収納部を着脱自在に閉鎖するための蓋体として蓋体装飾体２を用いるものである。
【００１８】
図５は、本考案に係る蓋体装飾体として電車を用いた他の例であり、本図構成においてはＮ７００系の新幹線を模した一例を示す図である。
本図のように各種の乗物例えば電車をモチーフとして蓋体装飾体２を形成することができるものである。
本図においては図１乃至図３に示した形状とは異なり、スカート部がなく通常の蓋体と同様に臨時電源本体の側面の開放辺部１２にきっちりと沿って形成した段部２２を有する。
この場合、例えば溝部を有して嵌着するものであっても、或いは段部を有せずに端辺部で開放辺部１２に接するものであってももちろんよい。
【００１９】
図６は、同じく新幹線をモチーフとした蓋体装飾体２を用いた一例であるが、本図は先頭車両と共に客車を連結して二両編成として装飾体を構成した一例である。
以上のように各種の乗物形態を用いた装飾体を形成できるものである。
図７は、新幹線に代えて在来線の電車の一例をモチーフとした蓋体装飾体２を用いた一例を示す図である。
この他、各種の特急車両や蒸気機関車或いはその夜の各種電車や汽車類或いはリニアモーターカー等の各種乗物を用いた装飾体を有する蓋体装飾体２を構成することができるものである。
例えば各種乗物を模した模型例えば鉄道模型や乗物に関する模型類、或いはこれらをモチーフとした装飾体、或いはキャラクター化した乗物類あるいは乗物形状をデフォルメした装飾体類などで蓋体装飾体２を構成したものであればよいものである。
【００２０】
図８は、電車類以外の乗物例えば、自動車を蓋体装飾体２として用いた一例を示す図である。
本図の具体的な形状は一例であり、例えばバスやスポーツカー或いはセダン車など各種の乗物を用いて蓋体装飾体２を構成するものであってよい。 例えばミリタリー関係の戦車や各種戦闘車、或いは特殊車両を用いてもよい。
更にはダンプカーやタンクローリー或いはシャベルカーやクレーン車、パトカー、救急車、消防車等の特殊用途の乗物類を蓋体装飾体２として用いてももちろんよい。
したがって、これらも全て乗物に該当するものである。
【００２１】
図９は、乗物として飛行機をモチーフとして用いた蓋体装飾体２を用いた一例を示す図である。
もちろん飛行機やヘリコプター、気球、ロケット、スペースシャトルや宇宙船等も乗物に該当し、これらを蓋体装飾体２として用いたものであってもよい。
図１０は、更に乗物の一例として船体を用いた一例を示す図である。 本図は船の一例を示すがこの他例えば客船でも、モーターボートでも或いはヨットを用いたものであっても全て乗物に該当し、潜水艦や空中翼船等であっても乗物であり、これらを 用いたものであってもよい。
【００２２】
例えばさらに模型としたものでもモチーフとして用いたものでもデフォルメしたものでも、キャラクター化したものであってももちろんよく、これ等の装飾体を用いた蓋体装飾体２でも良い。
以上のように各種乗物を携帯電話の臨時電源本体１の蓋体に装飾体として形成し蓋体装飾体２を構成するものであればよい。
特に乗物に関しては、極めて嗜好性を刺激するものであり、コレクター的な特殊性を有するものであって、収集価値を有するものとなる。
これらに関しては、既に明示したように写実的に装飾体を構成したものの他、デフォルメして装飾化したものでも、或いは模型風に装飾化したものでも、或いはキャラクター化して装飾体を構成したものでも、モチーフ化したもののいずれであってもよい。
【００２３】
即ち、乗物の形状を模して模型風に装飾化し又はキャラクター風に装飾化し又はモチーフ風に装飾化し又はデフォルメして装飾化したもののいずれであってもよいものである。
このことから、単なる臨時電源が極めて価値のある商品として嗜好性の高い商品として成立するものとなる。
特に以上の例は蓋体装飾体２を取り替えることによって自己の好きな形状の蓋体装飾体２をつけることができ、その日の気分や雰囲気などによって任意に付け替えることができるものである。
尚、これらは蓋体として少なくとも嵌め合わせる構成として明示しているが、これに限らず゛略筒状形状からなり、電池の脱着を行なうための開放面を該筒状部分に挿入する構成であってもよい。
【００２４】
一例として図１１に示す空洞部２５を有する蓋体装飾体２であってもよい。
臨時電源の本体１を該筒状の空洞部２５内に挿入することによって装着するものであっても良い。
更に以上の例は乗物の形状を有する蓋体装飾体２として説明したものであるが、蓋体装飾体２の構成ではなく、蓋体の有無を問わず臨時電源の本体部を挿入可能な孔や空洞等を有する乗物の形状を有する外装体２であってもよい。
即ち同じく図１１に示す筒状の空洞部２５内に臨時電源の本体１を挿入することによって外表面に乗物のモチーフが施されるものである。
【００２５】
尚、外装体２に関しては蓋体としてではなく図１、図２、図５乃至図１０に示す各種乗物を用いた装飾体を有する外装体２を臨時電源の本体１に嵌着するものであってもよい。
例えば、スカート部等に弾力を持たせることによって、或いはスカート部をより長く構成して本体の裏面を巻き込むように構成して着脱自在に臨時電源本体に装着するものであっても良い。
或いは他の任意の公知な各種係止具を用いて外装体を臨時電源本体に着脱自在に装着するものであっても良い。
【図面の簡単な説明】
【００２６】
【図１】本考案に係る携帯電話の臨時電源の蓋体装飾体を臨時電源に装着した一例を示す図
【図２】臨時電源に本考案に係る蓋体装飾体を装着した図１に示す一例の側面図
【図３】図１に示す本考案に係る蓋体装飾体の底方向から視認した一例を示す図
【図４】蓋体を外した臨時電源本体の一例を示す図
【図５】本考案に係る携帯電話の臨時電源の蓋体装飾体を臨時電源に装着した他の一例を示す図
【図６】本考案に係る携帯電話の臨時電源の蓋体装飾体を臨時電源に装着した他の一例を示す図
【図７】本考案に係る携帯電話の臨時電源の蓋体装飾体を臨時電源に装着した他の一例を示す図
【図８】本考案に係る携帯電話の臨時電源の蓋体装飾体を臨時電源に装着した他の一例を示す図
【図９】本考案に係る携帯電話の臨時電源の蓋体装飾体を臨時電源に装着した他の一例を示す図
【図１０】本考案に係る携帯電話の臨時電源の蓋体装飾体を臨時電源に装着した他の一例を示す図
【図１１】本考案に係る携帯電話の臨時電源の装飾体を外装体の一例を示す図
【符号の説明】
【００２７】
１  臨時電源本体
１０  乾電池
１１  本体の端部部分
１２  開放辺部
１５  コネクター部
２  蓋体装飾体
２２  段部
２３  スカート部
２４  電池押さえ部
２５  空洞部
【図１】
0003138367.tif 000003
【図２】
0003138367.tif 000004
【図３】
0003138367.tif 000005
【図４】
0003138367.tif 000006
【図５】
0003138367.tif 000007
【図６】
0003138367.tif 000008
【図７】
0003138367.tif 000009
【図８】
0003138367.tif 000010
【図９】
0003138367.tif 000011
【図１０】
0003138367.tif 000012
【図１１】
0003138367.tif 000013